(57)【特許請求の範囲】
【請求項１】
電子メールを受信可能な携帯電話端末と、電子メールの伝送に必要となるデータ伝送を可能とする携帯電話網と、データをパケットに分割し、携帯電話網を介して携帯電話端末との間で伝送することができるパケット伝送手段と、伝送したパケット数を課金ＩＤとともに課金ＤＢに登録する課金手段と、インターネットから受信した電子メールを、パケット伝送手段を利用して、携帯電話端末に伝送する電子メールシステムで構成し、電子メールシステムは、インターネットから電子メールを受信するメール受信手段と、受信したメールを一時的に格納しておく受信用メールボックスと、携帯電話端末からの電子メール受信要求に従ってメール伝送を制御するメール伝送制御手段と、携帯電話端末の加入者番号とメールアドレスの対応表が格納されている加入者ＤＢと、メール伝送制御手段の指示によって、受信用メールボックスに対して、指定されたメールアドレスに対する電子メールの存在確認および読み出しを行うメール確認／読み出し手段と、読み出した電子メールを構成するメールデータからメール送信元アドレスレコード、メール本文、メール終端レコードを識別するメール制御データ解析手段と、メール送信元アドレスレコードから識別した送信元のメールアドレスが特別課金者リストに含まれているかどうかをチェックし、含まれていた場合に対応する特別課金ＩＤを取り出す送信元アドレスチェック手段と、パケット伝送手段に対して、パケット課金の際の課金ＩＤを特別課金ＩＤに切り替える指示を行う課金ＩＤ切り替え通知手段とを備えることを特徴とする携帯電話を利用した電子メールの送受信に対する課金システム。
【請求項２】
電子メールを送信可能な携帯電話端末と、電子メールの伝送に必要となるデータ伝送を可能とする携帯電話網と、データをパケットに分割し、携帯電話網を介して携帯電話端末との間で伝送することができるパケット伝送手段と、伝送したパケット数を課金ＩＤとともに課金ＤＢに登録する課金手段と、パケット伝送手段を介して、携帯電話端末から送信された電子メールをインターネットで構成し、電子メールシステムは、携帯電話端末からの電子メール送信要求に従ってメール伝送を制御するメール伝送制御手段と、携帯電話端末から受け取った電子メールを構成するメールデータからメール送信先アドレスレコード、メール本文、メール終端レコードを識別するメール制御データ解析手段と、メール送信先アドレスレコードから識別した送信先のメールアドレスが特別課金者リストに含まれているかどうかをチェックし、含まれていた場合に対応する特別課金ＩＤを取り出す送信先アドレスチェック手段と、パケット課金の際の課金ＩＤを特別課金ＩＤに切り替える指示を行う課金ＩＤ切り替え手段と、メール伝送制御手段の指示によって、送信用メールボックスに対して、送信すべきメールを一時的に格納するメール格納手段と、送信用メールボックスから適時メールデータを読み出し、インターネットに対して送出を行うメール送信手段とを備えることを特徴とする携帯電話を利用した電子メールの送受信に対する課金システム。
【請求項３】
インターネットを経由して到達した電子メールはメール受信手段により適時受信され、受信用メールボックスに格納され、携帯電話端末においてメール受信操作を行うと、携帯電話網およびパケット伝送手段を介して、データ伝送路が電子メールシステムとの間に確立され、パケット伝送手段は、このデータ伝送路に対応する加入者番号を電子メールシステムに通知し、パケット伝送手段は、このデータ伝送路を通るパケット数をカウントし、加入者番号を課金ＩＤとして課金動作を開始し、データ伝送路を経由して、メール受信要求がメール伝送制御手段に対して行われると、メール伝送制御手段は、通知された加入者番号を用いて、加入者ＤＢを検索し、携帯電話端末に対応するメールアドレスを得て、メール伝送制御手段は、得られたメールアドレスを用いて、メール確認／読み出し手段に対して受信用メールボックスからのメールデータの検索と読み出しを指示し、読み出されたメールデータは、メール制御データ解析手段に渡され、メール制御データ解析手段は、渡されたメールデータを走査し、それがメール送信元アドレスレコードでなかった場合は、そのままデータ伝送路を介して携帯電話端末に送信し、メール送信元アドレスレコードを検出したメール制御データ解析手段は、その中に含まれる送信元アドレスを取り出し、送信元アドレスチェック手段に対して指示を出し、そのアドレスが特別課金者リストに含まれているかどうかチェックし、チェックの結果、このメールアドレスが特別課金者リストに含まれていた場合、このメールアドレスに対応する特別課金ＩＤを得て、得られた特別課金ＩＤは課金ＩＤ切り替え通知手段によってパケット伝送手段に通知され、以降、該データ伝送路に対するパケット数の課金は、切り替えられた特別課金ＩＤを使用して行われ、該メールデータの伝送の際のパケット数の課金は、携帯電話端末の加入者ではなく、発信元の特別課金者に対して行われるようになり、メール制御データ解析手段はメール終端レコードを検出すると、課金ＩＤをデータ伝送路に対応する加入者番号にリセットするために、課金ＩＤ切り替え通知手段に指示を出し、課金ＩＤ切り替え手段はパケット伝送手段に課金ＩＤの切り替えを通知し、以降の該データ伝送路に対するパケット数の課金は、再び携帯電話端末の加入者に対して行われることを特徴とする携帯電話を利用した電子メールの送受信に対する課金方法。
【請求項４】
携帯電話端末において、メール送信操作を行うと、携帯電話網およびパケット伝送手段を介して、データ伝送路が電子メールシステムとの間に確立され、パケット伝送手段は、このデータ伝送路に対応する加入者番号を電子メールシステムに通知し、パケット伝送手段は、このデータ伝送路を通るパケット数をカウントし、加入者番号を課金ＩＤとして課金動作を開始し、データ伝送路を経由して、メール送信要求がメール伝送制御手段に対して行われると、メール伝送制御手段は、メール送信要求に続いて受け取ったメールデータを、メール制御データ解析手段に渡し、メール制御データ解析手段は、渡されたデータを走査し、それがメール送信先アドレスレコードでなかった場合は、そのままメール格納手段を介して、送信用メールボックスに格納し、メール送信先アドレスレコードを検出したメール制御データ解析手段は、これをメール格納手段に渡すとともに、その中に含まれる送信先アドレスを取り出し、送信先アドレスチェック手段に対して指示を出し、そのアドレスが特別課金者リストに含まれているかどうかチェックし、チェックの結果、このメールアドレスが特別課金者リストに含まれていた場合、このメールアドレスに対応する特別課金ＩＤを得て、得られた特別課金ＩＤは課金ＩＤ切り替え通知手段によってパケット伝送手段に通知され、以降、該データ伝送路に対するパケット数の課金は、切り替えられた特別課金ＩＤを使用して行われ、該メールデータの伝送の際のパケット数の課金は、携帯電話端末の加入者ではなく、発信先の特別課金者に対して行われ、メール制御データ解析手段はメール終端レコードを検出すると、課金ＩＤをデータ伝送路に対応する加入者番号にリセットするために、課金ＩＤ切り替え通知手段に指示を出し、課金ＩＤ切り替え通知手段は、パケット伝送手段に課金ＩＤの切り替えを通知し、以降の該データ伝送路に対するパケット数の課金は、再び携帯電話端末の加入者に対して行われ、送信用メールボックスに格納されたメールデータは、メール送信手段によって、適時読み出され、インターネットに対して送出されることを特徴とする携帯電話を利用した電子メールの送受信に対する課金方法。
【発明の詳細な説明】
【０００１】
【発明の属する技術分野】
本発明は携帯電話を利用した電子メールの送受信に対する課金システムと方法に関し、特に携帯電話を用いてメール送受信サービスを行う場合の通信料の課金方式の携帯電話を利用した電子メールの送受信に対する課金システムと方法に関する。
【０００２】
【従来の技術】
従来の携帯電話を利用した電子メールの送受信に対する課金システムでは、電子メールの送受信のうち、携帯電話センター−端末装置間の通信パケット伝送に対する通信費用の課金は、すべて携帯電話の加入者に対して行われる。このような携帯電話システムは、特開２０００−２１７１５４号公報に記載されている。
【０００３】
一般に、企業が顧客に対して商品情報の提供や広告などのサービスを行う場合、従来は封書や葉書によるダイレクトメールが利用されていた。この際、その郵送費などの費用は、ダイレクトメールの発信者である企業が負担していた。
【０００４】
また企業が、電話対応による商品の注文窓口やクレーム処理窓口を設置する場合、その際に発生する電話料金についても、ＮＴＴのフリーダイヤルサービスなどを利用することにより、企業側の負担とするようなビジネスモデルは広く知られている。
【０００５】
上記２つのビジネスモデルは、どちらもわずかな通信費を企業側で負担することによって顧客満足度を高め、そこからより大きな利潤を得ようとするものである。
【０００６】
しかしこのようなビジネスモデルにおいて、企業が顧客への情報提供の迅速化や商品注文業務の効率化を実施しようとして、情報の送受信手段を、封書、はがき、フリーダイヤルによる通話から、携帯電話を利用した電子メールに変更しようとした場合、顧客に対して従来は発生しなかった通信費の負担が新たに発生することになり、かえって顧客満足度を低下させてしまうという問題点があった。
【０００７】
【発明が解決しようとする課題】
上述した従来の携帯電話を利用した電子メールの送受信に対する課金システムは、
第１の問題点は、企業が顧客への情報提供の迅速化や商品注文業務の効率化を実施しようとして、情報の送受信手段を、封書、はがき、フリーダイヤルによる通話から、携帯電話を利用した電子メールに変更しようとした場合、顧客に対して通信費の負担が新たに発生することになり、顧客満足度を低下させてしまうことである。
【０００８】
その理由は、電子メールの送受信のうち、携帯電話センター−端末装置間の通信パケット伝送に対する通信費用の課金は、すべて携帯電話の加入者に対して行われるからである。
【０００９】
本発明の目的は、携帯電話を利用した電子メールシステムにおいて、あらかじめ、特定のメールアドレスを特別課金者リストに登録しておき、そのアドレスに対するメール送信および、そのアドレスからのメール受信の際のパケット通信料を、携帯電話端末加入者ではなく、その特定アドレスの登録者に課金することによって、携帯電話によるメールシステムにおいても、ダイレクトメールやフリーダイアルと同等の顧客満足度を得る携帯電話を利用した電子メールの送受信に対する課金システムと方法を提供することにある。
【００１０】
【課題を解決するための手段】
第１の発明の携帯電話を利用した電子メールの送受信に対する課金システムは、電子メールを受信可能な携帯電話端末と、電子メールの伝送に必要となるデータ伝送を可能とする携帯電話網と、データをパケットに分割し、携帯電話網を介して携帯電話端末との間で伝送することができるパケット伝送手段と、伝送したパケット数を課金ＩＤとともに課金ＤＢに登録する課金手段と、インターネットから受信した電子メールを、パケット伝送手段を利用して、携帯電話端末に伝送する電子メールシステムで構成し、電子メールシステムは、インターネットから電子メールを受信するメール受信手段と、受信したメールを一時的に格納しておく受信用メールボックスと、携帯電話端末からの電子メール受信要求に従ってメール伝送を制御するメール伝送制御手段と、携帯電話端末の加入者番号とメールアドレスの対応表が格納されている加入者ＤＢと、メール伝送制御手段の指示によって、受信用メールボックスに対して、指定されたメールアドレスに対する電子メールの存在確認および読み出しを行うメール確認／読み出し手段と、読み出した電子メールを構成するメールデータからメール送信元アドレスレコード、メール本文、メール終端レコードを識別するメール制御データ解析手段と、メール送信元アドレスレコードから識別した送信元のメールアドレスが特別課金者リストに含まれているかどうかをチェックし、含まれていた場合に対応する特別課金ＩＤを取り出す送信元アドレスチェック手段と、パケット伝送手段に対して、パケット課金の際の課金ＩＤを特別課金ＩＤに切り替える指示を行う課金ＩＤ切り替え通知手段とを備える。
【００１１】
第２の発明の携帯電話を利用した電子メールの送受信に対する課金システムは、電子メールを送信可能な携帯電話端末と、電子メールの伝送に必要となるデータ伝送を可能とする携帯電話網と、データをパケットに分割し、携帯電話網を介して携帯電話端末との間で伝送することができるパケット伝送手段と、伝送したパケット数を課金ＩＤとともに課金ＤＢに登録する課金手段と、パケット伝送手段を介して、携帯電話端末から送信された電子メールをインターネットで構成し、電子メールシステムは、携帯電話端末からの電子メール送信要求に従ってメール伝送を制御するメール伝送制御手段と、携帯電話端末から受け取った電子メールを構成するメールデータからメール送信先アドレスレコード、メール本文、メール終端レコードを識別するメール制御データ解析手段と、メール送信先アドレスレコードから識別した送信先のメールアドレスが特別課金者リストに含まれているかどうかをチェックし、含まれていた場合に対応する特別課金ＩＤを取り出す送信先アドレスチェック手段と、パケット課金の際の課金ＩＤを特別課金ＩＤに切り替える指示を行う課金ＩＤ切り替え手段と、メール伝送制御手段の指示によって、送信用メールボックスに対して、送信すべきメールを一時的に格納するメール格納手段と、送信用メールボックスから適時メールデータを読み出し、インターネットに対して送出を行うメール送信手段とを備える。
【００１２】
第３の発明の携帯電話を利用した電子メールの送受信に対する課金方法は、インターネットを経由して到達した電子メールはメール受信手段により適時受信され、受信用メールボックスに格納され、携帯電話端末においてメール受信操作を行うと、携帯電話網およびパケット伝送手段を介して、データ伝送路が電子メールシステムとの間に確立され、パケット伝送手段は、このデータ伝送路に対応する加入者番号を電子メールシステムに通知し、パケット伝送手段は、このデータ伝送路を通るパケット数をカウントし、加入者番号を課金ＩＤとして課金動作を開始し、データ伝送路を経由して、メール受信要求がメール伝送制御手段に対して行われると、メール伝送制御手段は、通知された加入者番号を用いて、加入者ＤＢを検索し、携帯電話端末に対応するメールアドレスを得て、メール伝送制御手段は、得られたメールアドレスを用いて、メール確認／読み出し手段に対して受信用メールボックスからのメールデータの検索と読み出しを指示し、読み出されたメールデータは、メール制御データ解析手段に渡され、メール制御データ解析手段は、渡されたメールデータを走査し、それがメール送信元アドレスレコードでなかった場合は、そのままデータ伝送路を介して携帯電話端末に送信し、メール送信元アドレスレコードを検出したメール制御データ解析手段は、その中に含まれる送信元アドレスを取り出し、送信元アドレスチェック手段に対して指示を出し、そのアドレスが特別課金者リストに含まれているかどうかチェックし、チェックの結果、このメールアドレスが特別課金者リストに含まれていた場合、このメールアドレスに対応する特別課金ＩＤを得て、得られた特別課金ＩＤは課金ＩＤ切り替え通知手段によってパケット伝送手段に通知され、以降、該データ伝送路に対するパケット数の課金は、切り替えられた特別課金ＩＤを使用して行われ、該メールデータの伝送の際のパケット数の課金は、携帯電話端末の加入者ではなく、発信元の特別課金者に対して行われるようになり、メール制御データ解析手段はメール終端レコードを検出すると、課金ＩＤをデータ伝送路に対応する加入者番号にリセットするために、課金ＩＤ切り替え通知手段に指示を出し、課金ＩＤ切り替え手段はパケット伝送手段に課金ＩＤの切り替えを通知し、以降の該データ伝送路に対するパケット数の課金は、再び携帯電話端末の加入者に対して行われる。
【００１３】
第４の発明の携帯電話を利用した電子メールの送受信に対する課金方法は、携帯電話端末において、メール送信操作を行うと、携帯電話網およびパケット伝送手段を介して、データ伝送路が電子メールシステムとの間に確立され、パケット伝送手段は、このデータ伝送路に対応する加入者番号を電子メールシステムに通知し、パケット伝送手段は、このデータ伝送路を通るパケット数をカウントし、加入者番号を課金ＩＤとして課金動作を開始し、データ伝送路を経由して、メール送信要求がメール伝送制御手段に対して行われると、メール伝送制御手段は、メール送信要求に続いて受け取ったメールデータを、メール制御データ解析手段に渡し、メール制御データ解析手段は、渡されたデータを走査し、それがメール送信先アドレスレコードでなかった場合は、そのままメール格納手段を介して、送信用メールボックスに格納し、メール送信先アドレスレコードを検出したメール制御データ解析手段は、これをメール格納手段に渡すとともに、その中に含まれる送信先アドレスを取り出し、送信先アドレスチェック手段に対して指示を出し、そのアドレスが特別課金者リストに含まれているかどうかチェックし、チェックの結果、このメールアドレスが特別課金者リストに含まれていた場合、このメールアドレスに対応する特別課金ＩＤを得て、得られた特別課金ＩＤは課金ＩＤ切り替え通知手段によってパケット伝送手段に通知され、以降、該データ伝送路に対するパケット数の課金は、切り替えられた特別課金ＩＤを使用して行われ、該メールデータの伝送の際のパケット数の課金は、携帯電話端末の加入者ではなく、発信先の特別課金者に対して行われ、メール制御データ解析手段はメール終端レコードを検出すると、課金ＩＤをデータ伝送路に対応する加入者番号にリセットするために、課金ＩＤ切り替え通知手段に指示を出し、課金ＩＤ切り替え通知手段は、パケット伝送手段に課金ＩＤの切り替えを通知し、以降の該データ伝送路に対するパケット数の課金は、再び携帯電話端末の加入者に対して行われ、送信用メールボックスに格納されたメールデータは、メール送信手段によって、適時読み出され、インターネットに対して送出される。
【００１７】
【発明の実施の形態】
次に、本発明の第１の実施の形態について図面を参照して説明する。
【００１８】
図１は本発明の携帯電話を利用した電子メールの送受信に対する課金システムと方法の第１の一実施の形態を示すブロック図である。
【００１９】
図３は本発明の携帯電話を利用した電子メールの送受信に対する課金システムと方法の電子メールを構成するメールデータの構造を示す構造図である。
【００２０】
図４は本発明の携帯電話を利用した電子メールの送受信に対する課金システムと方法の加入者ＤＢの構造を示す構造図である。
【００２１】
図５は本発明の携帯電話を利用した電子メールの送受信に対する課金システムと方法の特別課金者リストの構造を示す構造図である。
【００２２】
本発明の第１の実施の形態は、図１に示すように、電子メールを受信可能な携帯電話端末１と、電子メールの伝送に必要となるデータ伝送を可能とする携帯電話網２と、データをパケットに分割し、携帯電話網２を介して携帯電話端末１との間で伝送することができるパケット伝送手段３と、伝送したパケット数を課金ＩＤとともに課金ＤＢ４０に登録する課金手段４と、インターネット６から受信した電子メールを、パケット伝送手段３を利用して、携帯電話端末１に伝送する電子メールシステム５で構成される。
【００２３】
電子メールシステム５は、インターネット６から電子メールを受信するメール受信手段５７と、受信したメールを一時的に格納しておく受信用メールボックス５８と、携帯電話端末１からの電子メール受信要求に従ってメール伝送を制御するメール伝送制御手段５０と、図４に示すように携帯電話端末１の加入者番号とメールアドレスの対応表が格納されている加入者ＤＢ５１と、メール伝送制御手段５０の指示によって、受信用メールボックス５８に対して、指定されたメールアドレスに対する電子メールの存在確認および読み出しを行うメール確認／読み出し手段５６と、図３に示すように読み出した電子メールを構成するメールデータからメール送信元アドレスレコード３１、メール本文３２、メール終端レコード３３を識別するメール制御データ解析手段５２と、メール送信元アドレスレコード３１から識別した送信元のメールアドレスが図５に示すように特別課金者リスト５４に含まれているかどうかをチェックし、含まれていた場合に対応する特別課金ＩＤを取り出す送信元アドレスチェック手段５３と、パケット伝送手段３に対して、パケット課金の際の課金ＩＤを特別課金ＩＤに切り替える指示を行う課金ＩＤ切り替え通知手段５５と有する。
【００２４】
次に、本発明の第２の実施の形態について図面を参照して説明する。
【００２５】
図２は本発明の携帯電話を利用した電子メールの送受信に対する課金システムと方法の第２の一実施の形態を示すブロック図である。
【００２６】
本発明の第２の実施の形態は、図２に示すように、電子メールを送信可能な携帯電話端末１と、電子メールの伝送に必要となるデータ伝送を可能とする携帯電話網２と、データをパケットに分割し、携帯電話網２を介して携帯電話端末１との間で伝送することができるパケット伝送手段３と、伝送したパケット数を課金ＩＤとともに課金ＤＢ４０に登録する課金手段４と、パケット伝送手段３を介して、携帯電話端末１から送信された電子メールをインターネット６に送信する電子メールシステム５で構成される。
【００２７】
電子メールシステム５は、携帯電話端末１からの電子メール送信要求に従ってメール伝送を制御するメール伝送制御手段５０と、図３に示すように携帯電話端末１から受け取った電子メールを構成するメールデータからメール送信先アドレスレコード３０、メール本文３２、メール終端レコード３３を識別するメール制御データ解析手段５２と、メール送信先アドレスレコード３０から識別した送信先のメールアドレスが図５に示すように特別課金者リスト５４に含まれているかどうかをチェックし、含まれていた場合に対応する特別課金ＩＤを取り出す送信先アドレスチェック手段５３と、パケット課金の際の課金ＩＤを特別課金ＩＤに切り替える指示を行う課金ＩＤ切り替え手段５５と、メール伝送制御手段５０の指示によって、送信用メールボックス５８に対して、送信すべきメールを一時的に格納するメール格納手段５６と、送信用メールボックス５８から適時メールデータを読み出し、インターネット６に対して送出を行うメール送信手段５７とを有する。
【００２８】
次に、本発明の第１の実施の形態の動作について、図を参照して詳細に説明する。
【００２９】
まず、本発明の第１の形態である図１を参照すると、インターネット６を経由して到達した電子メールはメール受信手段５７により適時受信され、受信用メールボックス５８に格納される。格納された電子メールデータは図３に示すような構造を持つ。
【００３０】
今、携帯電話端末１においてメール受信操作を行うと、まず携帯電話網２およびパケット伝送手段３を介して、データ伝送路が電子メールシステム５との間に確立される。この際、パケット伝送手段３は、このデータ伝送路に対応する加入者番号を電子メールシステム５に通知する。また、パケット伝送手段３は、このデータ伝送路を通るパケット数をカウントし、加入者番号を課金ＩＤとして課金動作を開始する。
【００３１】
データ伝送路を経由して、メール受信要求がメール伝送制御手段５０に対して行われると、メール伝送制御手段５０は、通知された加入者番号を用いて、加入者ＤＢ５１を検索し、携帯電話端末１に対応するメールアドレスを得る。加入者ＤＢの構造を図４に示す。
【００３２】
メール伝送制御手段５０は、得られたメールアドレスを用いて、メール確認／読み出し手段５６に対して受信用メールボックス５８からのメールデータの検索と読み出しを指示する。
【００３３】
読み出されたメールデータは逐次、メール制御データ解析手段５２に渡される。メール制御データ解析手段５２は、渡されたメールデータを走査し、それがメール送信元アドレスレコード３１でなかった場合は、そのままデータ伝送路を介して携帯電話端末１に送信する。
【００３４】
メール送信元アドレスレコード３１を検出したメール制御データ解析手段５２は、その中に含まれる送信元アドレスを取り出し、送信元アドレスチェック手段５３に対して指示を出し、そのアドレスが特別課金者リスト５４に含まれているかどうかチェックする。
【００３５】
チェックの結果、このメールアドレスが特別課金者リスト５４に含まれていた場合、このメールアドレスに対応する特別課金ＩＤを得る。得られた特別課金ＩＤは課金ＩＤ切り替え通知手段５５によってパケット伝送手段３に通知され、以降、該データ伝送路に対するパケット数の課金は、切り替えられた特別課金ＩＤを使用して行われる。これにより、該メールデータの伝送の際のパケット数の課金は、携帯電話端末１の加入者ではなく、発信元の特別課金者に対して行われるようになる。
【００３６】
メール制御データ解析手段５２はメール終端レコード３３を検出すると、課金ＩＤをデータ伝送路に対応する加入者番号にリセットするために、課金ＩＤ切り替え通知手段５５に指示を出す。課金ＩＤ切り替え手段５５はパケット伝送手段３に課金ＩＤの切り替えを通知し、以降の該データ伝送路に対するパケット数の課金は、再び携帯電話端末１の加入者に対して行われるようになる。
【００３７】
次に、本発明の第２の実施の形態の動作について、図を参照して詳細に説明する。
【００３８】
本発明の第２の形態である図２を参照すると、今、携帯電話端末１において、メール送信操作を行うと、まず携帯電話網２およびパケット伝送手段３を介して、データ伝送路が電子メールシステム５との間に確立される。この際、パケット伝送手段３は、このデータ伝送路に対応する加入者番号を電子メールシステム５に通知する。また、パケット伝送手段３は、このデータ伝送路を通るパケット数をカウントし、加入者番号を課金ＩＤとして課金動作を開始する。
【００３９】
データ伝送路を経由して、メール送信要求がメール伝送制御手段５０に対して行われると、メール伝送制御手段５０は、メール送信要求に続いて受け取ったメールデータを逐次、メール制御データ解析手段５２に渡す。メール制御データ解析手段５２は、渡されたデータを走査し、それがメール送信先アドレスレコード３０でなかった場合は、そのままメール格納手段５６を介して、送信用メールボックス５８に格納する。
【００４０】
メール送信先アドレスレコード３０を検出したメール制御データ解析手段５２は、これをメール格納手段５６に渡すとともに、その中に含まれる送信先アドレスを取り出し、送信先アドレスチェック手段５３に対して指示を出し、そのアドレスが特別課金者リスト５４に含まれているかどうかチェックする。
【００４１】
チェックの結果、このメールアドレスが特別課金者リスト５４に含まれていた場合、このメールアドレスに対応する特別課金ＩＤを得る。得られた特別課金ＩＤは課金ＩＤ切り替え通知手段５５によってパケット伝送手段３に通知され、以降、該データ伝送路に対するパケット数の課金は、切り替えられた特別課金ＩＤを使用して行われる。これにより、該メールデータの伝送の際のパケット数の課金は、携帯電話端末１の加入者ではなく、発信先の特別課金者に対して行われる。
【００４２】
メール制御データ解析手段５２はメール終端レコード３３を検出すると、課金ＩＤをデータ伝送路に対応する加入者番号にリセットするために、課金ＩＤ切り替え通知手段５５に指示を出す。課金ＩＤ切り替え通知手段５５は、パケット伝送手段３に課金ＩＤの切り替えを通知し、以降の該データ伝送路に対するパケット数の課金は、再び携帯電話端末１の加入者に対して行われるようになる。
【００４３】
送信用メールボックス５８に格納されたメールデータは、メール送信手段５７によって、適時読み出され、インターネット６に対して送出される。
【００４４】
【発明の効果】
以上説明したように、本発明の携帯電話を利用した電子メールの送受信に対する課金システムと方法は、
第１の効果は、携帯電話を利用したメールシステムにおいても、ダイレクトメールやフリーダイヤルと同等のサービスと顧客満足度を提供することが可能となる。
【００４５】
その理由は、特定のメールアドレスに対するメール送受信における通信料を、携帯電話端末加入者に負担させないことができるからである。
【図面の簡単な説明】
【図１】本発明の携帯電話を利用した電子メールの送受信に対する課金システムと方法の第１の一実施の形態を示すブロック図である。
【図２】本発明の携帯電話を利用した電子メールの送受信に対する課金システムと方法の第２の一実施の形態の動作を示す流れ図である。
【図３】本発明の携帯電話を利用した電子メールの送受信に対する課金システムと方法の電子メールを構成するメールデータの構造を示す構造図である。
【図４】本発明の携帯電話を利用した電子メールの送受信に対する課金システムと方法の加入者ＤＢの構造を示す構造図である。
【図５】本発明の携帯電話を利用した電子メールの送受信に対する課金システムと方法の特別課金者リストの構造を示す構造図である。
【符号の説明】
１    携帯電話端末
２    携帯電話網
３    パケット伝送手段
４    課金手段
４０    課金ＤＢ
５    電子メールシステム
５０    メール伝送制御手段
５１    加入者ＤＢ
５２    メール制御データ解析手段
５３    送信元アドレスチェック手段、送信先アドレスチェック手段
５５    課金ＩＤ切り替え通知手段
５６    メール確認／読み出し手段、メール格納手段
５７    メール受信手段、メール送信手段
５８    受信用メールボックス、送信用メールボックス
６    インターネット
３０    メール送信先アドレスレコード
３１    メール送信元アドレスレコード
３２    メール本文
３３    メール終端レコード
【図１】
0003637003.tif 000002
【図２】
0003637003.tif 000003
【図３】
0003637003.tif 000004
【図４】
0003637003.tif 000005
【図５】
0003637003.tif 000006